(57)【要約】【課題】  通気性を確保するとともに日差しの遮断性を同時に確保できる日除け装置を実現すること。【解決手段】  網状体の表面に日除け部材を多数、空間を空けて取り付けたことを特徴とする日除け装置としたものであり、前記の日除け部材は、日差しを遮ることができ、薄いシート状の小片であり、前記の日除け部材の取り付けにおいて、網状体に弾性を有する線状素材の一端を取り付け、多端に前記の日除け部材を取り付けたことを特徴とする日除け装置としたものである。【選択図】図１
2009228403.tif 000002
【特許請求の範囲】
【請求項１】
網状体の表面に日除け部材を多数、空間を空けて取り付けたことを特徴とする日除け装置。
【請求項２】
前記の日除け部材の取り付けにおいて、網状体に弾性を有する線状素材の一端を取り付け、他端に前記の日除け部材を取り付けたことを特徴とする請求項１に記載の日除け装置。
【請求項３】
前記の日除け部材は、日差しを遮ることができ、薄いシート状の小片であることを特徴とする請求項１又は請求項２に記載の日除け装置。
【請求項４】
前記の網状体は、軟質で衣料用繊維素材であることを特徴とする請求項１から請求項３までのいずれかの項に記載の日除け装置。
【発明の詳細な説明】
【技術分野】
【０００１】  本発明は、日差しを遮ることを目的とする日除け装置に関するものである。
【背景技術】
【０００２】  従来、日除け防止用の上着として、特開２０００−３１４０１８号公報などある。【０００３】  これは、袖部分の良好な通気性と腕の日焼け防止、さらには吸汗性を両立させることが可能な日焼け防止用上着を提供することを目的とし、日焼け防止用上着１は、胸部から腹部を被う上着本体部としての胴衣部２と、その胴衣部２の二の腕付近の縫合部５に縫い付けられた袖部３とを有している。【０００４】  袖部３の生地の厚さは、胴衣部２の生地よりも薄いものであり、袖部３の良好な通気性が確保されている。また、袖部３の袖口４は、袖部の肘部７からほぼ一様な袖幅にて筒状に開口されている。すなわち、袖口４と肘部７との袖周り寸法がほぼ同じで、袖口４と手首８との間には袖内外を通気するのに十分な隙間が設けられているものである。【０００５】  また、ガレージなどの日除け装置として、特願平６−１０１３１３号公報などがある。これは、日除け、目隠し、防風の用に供する簡便な装置を提供することを目的とし、日除け用の伸縮体１は、スパイラル状のスプリングを中にして、その周囲を布、合成シート材などの布状物で覆って構成する。【０００６】  伸縮体１を支柱３間の頭部付近に、多数本を適宜の間隔をおいて、その中に通した支持ワイヤー４によって取り付け、日除け装置Ａを構成することによって、太陽光線が照射されたとき、その下側に日陰を形成するというものである。
【特許文献１】特開２０００−３１４０１８号公報
【特許文献２】特開平０６−１０１３１３号公報
【発明の開示】
【発明が解決しようとする課題】
【０００７】  特開平０６−１０１３１３号公報については、この日除け装置を構成するための資材が大掛かりでコストが高くなってしまう。また、スペースが広く必要である。さらに、重量があるため、取り扱い、設置の問題がある。容易に補修することはできない。【０００８】  特開２０００−３１４０１８号公報については、薄い生地を使用して通気性を確保するとしているが、生地が薄いだけで十分な通気性を確保することは困難である。通気性と日差しの遮蔽性を同時に確保することが重要である。【０００９】  本発明の解決しようとする問題点は、通気性を確保するとともに日差しの遮断性を同時に確保できる日除け装置を実現することである。
【課題を解決するための手段】
【００１０】  本発明は、上記の問題点を解決するために、
請求項１では、網状体の表面に日除け部材を多数、空間を空けて取り付けたことを特徴とする日除け装置としたものである。【００１１】  網状体とは、例えば、メッシュ素材などであり、網目は０．１ｍｍから５０ｍｍなどである。好ましくは、３ｍｍから１０ｍｍである。さらに好ましくは５ｍｍから８ｍｍである。【００１２】    請求項２では、前記の日除け部材の取り付けにおいて、網状体に弾性を有する線状素材の一端を取り付け、多端に前記の日除け部材を取り付けたことを特徴とする日除け装置としたものである。【００１３】  請求項３では、前記の日除け部材は、日差しを遮ることができ、薄いシート状の小片であることを特徴とする日除け装置としたものである。【００１４】  また、壁用の日除け装置の場合には、日除け部材はある程度の硬さと弾力性を有する素材を使用し、暴風時や積雪などの寒冷条件においても十分に耐えうる素材を使用することが好ましい。【００１５】  請求項４では、前記の網状体は、軟質で衣料用繊維素材であることを特徴とする日除け装置としたものである。【００１６】  網目は、袖の部分は、好ましくは、２ｍｍから１０ｍｍ程度であり、さらに好ましくは３ｍｍから６ｍｍ程度が良く、４ｍｍ程度が最も好ましい。【００１７】  日除け部材も繊維用素材を用いることが出来る。繊維用素材の他にも軽くて日射しを吸収しにくい素材あるいは、反射する素材であればいずれでも良い。例えば、木質材、樹脂材、あるいは、熱反射塗料や非熱吸収塗料などを塗布した素材などでも良い。
【発明の効果】
【００１８】  本発明は以下の効果を奏する。【００１９】１）日除け部材が網状体に取り付けられているため、日除け部材同士に隙間ができ、日射しを遮るとともに、通気性を確保することが出来る。【００２０】２）日除け部材同士は独立して取り付けられているので、形状が固定されないので、曲面や、衣類などにも適用でき、設置場所、設置面の制限がなく、自由にレイアウト、デザインできる。【００２１】３）衣類の場合には、網状体の外側に日除け部材が取り付けられているので、装着感がよく、十分な清涼感が得られる。【００２２】４）網状体と小片による日除け部材との構成であり、構造が複雑でなく、軽量である。【００２３】５）建物の壁や屋根、あるいは屋上に貼り付けて使用することができ、低コストで施工がしやすく、補修も簡単である。【００２４】６）網状体と日除け部材との隙間の空気の流通が断熱効果を有する。【００２５】７）日除け部材の形状や色彩などの組み合わせにより視覚面でも楽しめる。
【発明を実施するための最良の形態】
【００２６】  本発明の一実施形態について図面を用いて説明する。【００２７】  図１は、本発明による日除け装置の該略図を示す。【００２８】  ハート型の複数の日除け部材（上段用）１が平面状に並べて配置され、その下段に同様なハート型の複数の日除け部材（下段用）２が平面状に、かつ上段の日除け部材１とは互い違いになるように配置されている。
これらのハート型日除け部材１、２は、網状体３に取り付けられている。【００２９】  図２は、図１の側面図である。ハート型部材１、２には、弾性を有する線状材４、５が取り付けられており、その他端は、網状体３に接着されている。【００３０】  図２に示すように、各ハート型日除け部材１、２は、互い違いに形成されているので、効果的に日除けを行うことができ、かつ、日除け上段のハート型日除け部材１と、下段のハート型日除け部材２及び網状体３との隙間が形成されており、通気性が確保されるものである。【００３１】  壁用の日除け装置の場合には、網状体の網目は１０ｃｍから２０ｃｍ程度としても良い。網状体の取り付けは、網状体にネジ孔を設けて壁などに固定できるようにしても良く、網状体を取り付けるための取付金具を用いて壁などに固定できるようにしても良い。【００３２】  網目は強い素材を使用することが好ましいが、例えば、５０Ｋｇ程度で切れるような素材を使用することにより、泥棒などの侵入者を防止することが可能となる。【００３３】本実施例では、日除け部材はハート型の日除け部材を使用したが、この形状に限定されるものではなく、種々の形状を採用することが出来る。【００３４】  被服用の日除け装置の場合においては、脇の下の部分は、日除け部材を使用せずに、メッシュ素材のみとすることが好ましい。脇部は擦れるので、日除け部材はない方が良い。
【図面の簡単な説明】
【００３５】
【図１】本発明の日除け装置の構成を示す概略平面図である。
【図２】本発明の日除け装置の構成を示す概略側面図である。
【符号の説明】
【００３６】  １  上段のハート型日除け部材
２  下段のハート型日除け部材
３  網状体
４  上段の弾性を有する線状材
５  下段の弾性を有する線状材
【図１】
2009228403.tif 000003
【図２】
2009228403.tif 000004